(57)【要約】【課題】ディスク装置側の機能で使用されるスキップアップ・ダウンキーと早送り・巻き戻しキーとを、テレビジョン受信装置でデジタル放送を受信するときの物理チャンネルとサブチャンネルの切り替えに利用する。【解決手段】  リモコン送信機は、ディスク装置の制御に使用されるスキップアップ・ダウンキーがテレビジョン受信装置における物理チャンネルの切り替えキーに割り当てられ、早送り・巻き戻しキーがサブチャンネルの切り替えキーに割り当てられており、このリモコン送信機によりチャンネル選択された物理チャンネルのチャンネル番号Ｍを、横棒のチャンネルバーＢと対応させてＯＳＤ表示するとともに、物理チャンネルの切り替え操作に従って、チャンネル位置を示すカーソルＫをチャンネルバーＢ上の該当位置に移動させて表示し、かつ、物理チャンネルのチャンネル番号Ｍの横にサブチャンネルのチャンネル番号Ｓを合わせて表示する。【選択図】図３
2007180747.tif 000002
【特許請求の範囲】
【請求項１】
ディスク装置の制御手段とテレビジョン受信装置の制御手段とがバス通信によって接続されているとともに、ユーザが前記制御手段に対してチャンネル選択の指示を入力する入力手段と、受信番組を表示する表示手段に各種操作画面を表示するＯＳＤ（オンスクリーンディスプレイ）回路とを備えており、前記テレビジョン受信装置は１つの物理チャンネルで複数のサブチャンネルの番組が放送できるデジタル放送を受信可能に設けられたディスク装置内蔵型テレビジョン受信装置において、
前記入力手段は、前記ディスク装置の制御に使用されるスキップアップ・ダウンキーが前記テレビジョン受信装置における物理チャンネルの切り替えキーに割り当てられるとともに、早送り・巻き戻しキーが前記テレビジョン受信装置におけるサブチャンネルの切り替えキーに割り当てられており、
前記制御手段は、前記入力手段によりチャンネル選択された物理チャンネルのチャンネル番号を、横棒のチャンネルバーと対応させて前記表示手段にＯＳＤ表示するとともに、前記物理チャンネルの切り替え操作に従って、チャンネル位置を示すカーソルを前記チャンネルバー上の該当位置に移動させて表示し、かつ、前記物理チャンネルのチャンネル番号の横にサブチャンネルのチャンネル番号を合わせて表示することを特徴とするディスク装置内蔵型テレビジョン受信装置。
【請求項２】
ディスク装置の制御手段とテレビジョン受信装置の制御手段とがバス通信によって接続されているとともに、ユーザが前記制御手段に対してチャンネル選択の指示を入力する入力手段を備えており、前記テレビジョン受信装置は１つの物理チャンネルで複数のサブチャンネルの番組が放送できるデジタル放送を受信可能に設けられたディスク装置内蔵型テレビジョン受信装置において、
前記入力手段は、前記ディスク装置の制御に使用されるスキップアップ・ダウンキー及び早送り・巻き戻しキーのいずれか一方のキーが前記テレビジョン受信装置における物理チャンネルの切り替えキーに割り当てられ、他方のキーが前記テレビジョン受信装置におけるサブチャンネルの切り替えキーに割り当てられていることを特徴とするディスク装置内蔵型テレビジョン受信装置。
【請求項３】
前記スキップアップ・ダウンキーが物理チャンネルの切り替えキーに割り当てられ、前記早送り・巻き戻しキーがサブチャンネルの切り替えキーに割り当てられていることを特徴とする請求項２に記載のディスク装置内蔵型テレビジョン受信装置。
【請求項４】
受信番組を表示する表示手段に各種操作画面を表示するＯＳＤ（オンスクリーンディスプレイ）回路を備えており、
前記制御手段は、前記入力手段によりチャンネル選択された物理チャンネルのチャンネル番号を、横棒のチャンネルバーと対応させて前記表示手段にＯＳＤ表示することを特徴とする請求項２または請求項３に記載のディスク装置内蔵型テレビジョン受信装置。
【請求項５】
前記制御手段は、前記物理チャンネルの切り替え操作に従って、チャンネル位置を示すカーソルを前記チャンネルバー上の該当位置に移動させて表示することを特徴とする請求項４に記載のディスク装置内蔵型テレビジョン受信装置。
【請求項６】
前記制御手段は、前記物理チャンネルのチャンネル番号の横にサブチャンネルのチャンネル番号を合わせて表示することを特徴とする請求項４に記載のディスク装置内蔵型テレビジョン受信装置。
【請求項７】
前記入力手段がリモコン送信機であることを特徴とする請求項１ないし請求項６のいずれかに記載のディスク装置内蔵型テレビジョン受信装置。
【発明の詳細な説明】
【技術分野】
【０００１】
本発明は、ディスク装置の制御手段とテレビジョン受信装置の制御手段とがバス通信によって接続されており、１つの物理チャンネルで複数のサブチャンネルの番組が放送できるデジタル放送の受信が可能なディスク装置内蔵型テレビジョン受信装置に関する。
【背景技術】
【０００２】
デジタル放送では、周波数帯域を示す物理チャンネルに仮想チャンネルを割り当てている。仮想チャンネルは、同じ放送局や系列の放送局が複数の物理チャンネルを使用して番組を放送している場合に、これらの物理チャンネルの関連性をユーザに認識させるために使用されている。例えば、同じ放送局や系列の放送局が使用している複数の物理チャンネルに、同じ仮想チャンネル番号を割り当てることにより、これらの物理チャンネルの関連性をユーザに認識させている。
【０００３】
また、デジタル放送では、１つの物理チャンネルで複数の番組を同時に放送することから、サブチャンネルを設けている。番組は、サブチャンネル単位で放送される。
【０００４】
従って、ユーザは、見たい番組を選択する場合、まず物理チャンネルを選択し、その後、その物理チャンネルの中のサブチャンネルを選択するといった煩雑な操作が必要となるため、この操作を簡単化する技術が従来から提案されている（例えば、特許文献１参照）。
【０００５】
特許文献１に記載の技術は、リモコン送信機のキーのうち、左右キーを物理チャンネルを切り替えるためのカーソル移動用に割り当て、上下キーを一つのメインチャンネル内のサブチャンネルを切り替えるためのカーソル移動用に割り当てている。具体的には、物理チャンネルとこの物理チャンネルに含まれる全てのサブチャンネルとの全組み合わせを一覧表示するチャンネル情報テーブル（チャンネルマップ）を表示装置にＥＰＧ（Ｅｌｅｃｔｒｉｃ  Ｐｒｏｇｒａｍ  Ｇｕｉｄｅ）としてＯＳＤ表示し、このチャンネルマップ上の任意の位置に表示されているカーソルを、上下キーまたは左右キーで移動させることにより、一覧表示したチャンネルマップから所望の物理チャンネルの中の所望のサブチャンネルを選択するようになっている。
【０００６】
ここて、チャンネル情報テーブルは、横方向に物理チャンネル、縦方向にサブチャンネルを配置した構成となっており、左右キーでカーソルを左右に移動させることで、横方向に配置された物理チャンネルを選択し、上下キーでカーソルを上下に移動させることで、縦方向に配置されたサブチャンネルを選択するようになっている。
【特許文献１】特開２００２−２２３３９６号公報
【発明の開示】
【発明が解決しようとする課題】
【０００７】
上記したように、特許文献１のものは、左右キーで物理チャンネルを選択し、上下キーでサブチャンネルを選択するようになっている。しかし、この操作は、表示装置にＯＳＤ表示されるチャンネル情報テーブルの表示画面が、横方向に物理チャンネル、縦方向にサブチャンネルを配置した枡目構造となっていることが前提となって成立する操作である。すなわち、上下キーはあくまで画面上のカーソルを上下に移動させるだけであり、左右キーはあくまで画面上のカーソルを左右に移動させるだけであって、左右キーによって物理チャンネルだけを直接切り替え、上下キーによってサブチャンネルだけを直接切り替えているわけではない。つまり、左右キーや上下キーによって、カーソルをチャンネル情報テーブル上の所望の位置に移動させて選択しているだけである。そして、このような操作は、例えば表示装置にＯＳＤ表示によりメニュー画面を表示し、メニュー画面上の所定の項目を選択するときの上下キー及び左右キーの操作と全く同じ操作であり、キー操作としては従来の上下左右キーの操作機能と何ら変わるものではない。
【０００８】
また、ディスク装置内蔵型テレビジョン受信装置の場合、ディスク装置での早送り再生や巻き戻し再生では、ＯＳＤ表示により画面上に再生位置を示す横バーを表示し、そのバー上の再生位置にカーソルが移動するような表示形態となっているものがある。従って、テレビジョン受信装置でのデジタル放送受信時のチャンネル切り替え時にも、このような表示形態でチャンネル表示が行えれば、ユーザにとってはディスク装置でのディスク再生時のＯＳＤ表示画面と共通の表示形態となるため、非常に見易い操作画面となる。
【０００９】
本発明はかかる点に鑑みて創案されたもので、その目的は、ディスク装置側の機能で使用されるスキップアップ・ダウンキーと早送り・巻き戻しキーとを、テレビジョン受信装置でデジタル放送を受信するときの物理チャンネルとサブチャンネルの切り替えに利用することでキー数の削減を図り、かつ、ＯＳＤ表示に物理チャンネルのバー表示を用いることで、テレビジョン受信装置側でのチャンネル切り替えの表示形態を、ディスク装置側での再生操作画面の表示形態に近づけ、しかもリモコン送信機のキー配置等とのイメージを統一させることで、ユーザの操作性の向上を図ったディスク装置内蔵型テレビジョン受信装置を提供することにある。
【課題を解決するための手段】
【００１０】
上記課題を解決するため、本発明のディスク装置内蔵型テレビジョン受信装置は、ディスク装置の制御手段とテレビジョン受信装置の制御手段とがバス通信によって接続されているとともに、ユーザが前記制御手段に対してチャンネル選択の指示を入力する入力手段（例えば、リモコン送信機）を備えており、前記テレビジョン受信装置は１つの物理チャンネルで複数のサブチャンネルの番組が放送できるデジタル放送を受信可能に設けられたディスク装置内蔵型テレビジョン受信装置において、前記入力手段は、前記ディスク装置の制御に使用されるスキップアップ・ダウンキー及び早送り・巻き戻しキーのいずれか一方のキーが前記テレビジョン受信装置における物理チャンネルの切り替えキーに割り当てられ、他方のキーが前記テレビジョン受信装置におけるサブチャンネルの切り替えキーに割り当てられていることを特徴とする。
【００１１】
この場合、例えば、前記スキップアップ・ダウンキーを物理チャンネルの切り替えキーに割り当て、前記早送り・巻き戻しキーをサブチャンネルの切り替えキーに割り当てることができる。ただし、この逆でもよい。
【００１２】
このような特徴を有する本発明によれば、テレビジョン受信装置の物理チャンネルとサブチャンネルの選択操作に、ディスク装置側の操作キーであるスキップアップ・ダウンキー及び早送り・巻き戻しキーを利用することで、リモコン送信機のキー数を増やすことなく、物理チャンネルとサブチャンネルとを個別に切り替えることが可能となる。
【００１３】
また、本発明のディスク装置内蔵型テレビジョン受信装置は、受信番組を表示する表示手段に各種操作画面を表示するＯＳＤ（オンスクリーンディスプレイ）回路を備えており、前記制御手段は、前記入力手段によりチャンネル選択された物理チャンネルのチャンネル番号を、横棒のチャンネルバーと対応させて前記表示手段にＯＳＤ表示することを特徴とする。この場合、前記制御手段は、前記物理チャンネルの切り替え操作に従って、チャンネル位置を示すカーソルを前記チャンネルバー上の該当位置に移動させて表示する。さらに、前記制御手段は、前記物理チャンネルのチャンネル番号の横にサブチャンネルのチャンネル番号を合わせて表示する。
【００１４】
スキップアップ・ダウンキーと早送り・巻き戻しキーは、リモコン送信機でのキー配列が左右に配置されているのが一般的である。そこで、スキップアップ・ダウンキーで操作する物理チャンネルのチャンネル番号を、横棒のチャンネルバーと対応させてＯＳＤ表示し、かつ、チャンネル位置を示すカーソルを前記チャンネルバー上の該当位置に移動させて表示することで、リモコン送信機のキー配置とチャンネル選択画面とのイメージが統一されるため、ユーザにとって操作し易いチャンネル選択画面とすることができる。これにより、ユーザの操作性を向上させることができる。
【発明の効果】
【００１５】
本発明のディスク装置内蔵型テレビジョン受信装置によれば、テレビジョン受信装置の物理チャンネルとサブチャンネルの選択操作に、ディスク装置側の操作キーであるスキップアップ・ダウンキー及び早送り・巻き戻しキーを利用することで、リモコン送信機のキー数を増やすことなく、物理チャンネルとサブチャンネルとを個別に切り替えることができる。これにより、ユーザの操作性を向上させることができる。
【００１６】
また、スキップアップ・ダウンキーまたは早送り・巻き戻しキーで操作する物理チャンネルのチャンネル番号を、横棒のチャンネルバーと対応させてＯＳＤ表示し、かつ、チャンネル位置を示すカーソルをチャンネルバー上の該当位置に移動させて表示することで、リモコン送信機のキー配置とチャンネル選択画面とのイメージが統一されるため、ユーザにとって操作し易いチャンネル選択画面とすることができる。これにより、ユーザの操作性をさらに向上させることができる。
【発明を実施するための最良の形態】
【００１７】
以下、本発明の実施の形態について、図面を参照して説明する。
【００１８】
図１は、本実施形態に係わるディスク装置（例えばＤＶＤ装置）内蔵型テレビジョン受信装置の要部の電気的構成を示す機能ブロック図である。ただし、本実施形態では、ＤＶＤ装置によるディスク再生処理や、テレビジョン受信装置による映像及び音声の信号処理については従来周知の処理であるので、ここではそれぞれディスク信号処理部及びＴＶ信号処理部として簡単な機能ブロックで示している。
【００１９】
すなわち、本実施形態のディスク装置内蔵型テレビジョン受信装置は、ディスク１３を再生するディスク制御系１０と、ＴＶ制御系２０とが１つの筐体内に機能的に連係されて格納されたもので、ディスク制御系１０全体を制御するディスク側マイコン（ディスク側制御手段）１１と、ＴＶ制御系２０全体を制御するＴＶ側マイコン（テレビ側制御手段）２１とがバス通信３５によって双方向に接続された構成となっている。
【００２０】
ディスク側マイコン１１は、本体内に装■されたディスク１３の種類を判別する判別処理や、ディスクの種類に応じた再生処理を行うディスク信号処理部１２を制御する。ディスク信号処理部１２の出力は、切換回路２５を介してＣＲＴまたはディスプレイ等の表示部２６に接続されている。また、ディスク信号処理部１２は、ディスク装置側の各種設定を行うためのセットアップ画面を含む各種設定画面を表示するためのＯＳＤ回路１２ａを備えている。
【００２１】
一方、デジタル／アナログ放送のテレビジョン信号を受信するチューナ回路２２の出力はＴＶ信号処理部２４に接続されており、ＴＶ信号処理部２４の出力は、切換回路２５を介してＣＲＴまたはディスプレイ等の表示部２６に接続されている。また、ＴＶ信号処理部２４の出力は、増幅器２７を介して内部スピーカ２８に接続されている。ＴＶ信号処理部２４は、テレビジョン受信装置側の各種設定を行うためのセットアップ画面や後述するチャンネル選択時のチャンネル選択画面を含む各種設定画面を表示するためのＯＳＤ回路２４ａを備えている。
【００２２】
ＴＶ側マイコン２１は、チューナ回路２２を介して受信したテレビジョン信号を映像信号や音声信号に復号し、映像信号を表示部２６に表示するとともに音声信号を内部スピーカ２８から出力するＴＶ信号処理部２４を制御する。
【００２３】
また、ＴＶ側マイコン２１には、リモコン送信機４１からの各種操作信号を受信する受信部３１の出力が接続されている。ＴＶ側マイコン２１は、このリモコン送信機４１から送信されてくる各種操作信号に基づいて、ディスク制御系１０及びＴＶ制御系２０の動作制御を行うようになっている。すなわち、本実施形態では、ディスク制御系１０の電源オン、オフを含む全ての制御信号が、ＴＶ側マイコン２１を通じてディスク側マイコン１１に送信されるようになっている。また、切換回路２５の切り換え制御はＴＶ側マイコン２１によって行われるようになっている。
【００２４】
ところで、デジタル放送では、１つの物理チャンネルで複数の番組を同時に放送することから、サブチャンネルを設けており、番組は、サブチャンネル単位で放送されている。従って、ユーザは、見たい番組を選択する場合、まず物理チャンネルを選択し、その後、その物理チャンネルの中のサブチャンネルを選択することになる。そこで、本実施形態では、このようなチャンネル選択の操作性の向上を図っている。
【００２５】
以下、本実施形態のディスク装置内蔵型テレビジョン受信装置において、リモコン送信機４１を使用してデジタル放送のチャンネルを選択する操作について説明する。
【００２６】
本実施形態では、物理チャンネルとサブチャンネルを個別に選択するために、物理チャンネルを選択するための専用キーと、サブチャンネルを選択するための専用キーとを設けている。具体的には、ディスク装置の制御に使用されるスキップアップ・ダウン（ＳＫＩＰＵＰ／ＤＯＷＮ）キー及び早送り・巻き戻し（ＦＦ／ＲＥＷ）キーのいずれか一方のキーをテレビジョン受信装置における物理チャンネルの切り替えキーに割り当て、他方のキーをサブチャンネルの切り替えキーに割り当てている。本実施形態では、スキップアップ・ダウンキーを物理チャンネルの切り替えキーに割り当て、早送り・巻き戻しキーをサブチャンネルの切り替えキーに割り当てている。
【００２７】
図２は、リモコン送信機４１のキー配置構造の要部の一例を示している。
【００２８】
このリモコン送信機４１は、ディスク装置内蔵型テレビジョン受信装置のリモコン送信機であるから、当然、テレビジョン受信装置側を制御するためのキーとディスク装置側を制御するためのキーの両方が配置されている。具体的には、図２に示すように、電源キー４１ａ、機能キー４１ｂ、テンキー４１ｃ、チャンネルアップ・ダウンキー４１ｄ、音量アップダウンキー４１ｅ、再生キー４１ｆ、停止キー４１ｇ、スキップアップ・ダウンキー４１ｈ、早送り・巻き戻しキー４１ｉ、上下左右キー４１ｊ、上下左右キーの中央に配置された決定キー４１ｋなどが配置されており、これ以外にも図示は省略しているが、操作に必要な種々の機能キーが配置されている。このうち、再生キー４１ｆ、停止キー４１ｇ、スキップアップ・ダウンキー４１ｈ、早送り・巻き戻しキー４１ｉは、ディスク装置によるディスク再生時に使用されるキーであり、テレビジョン受信装置側でデジタル放送を受信しているときには本来使用しないキーである。従って、本実施形態ではこの点に着目して、上記のようにキーの割り当てを行っている。
【００２９】
また、本実施形態では、デジタル放送受信時に、ＴＶ側マイコン２１はＴＶ信号処理部２４のＯＳＤ回路２４ａを制御して、図３（ａ）に示すようなチャンネル選択画面をＯＳＤ表示する。
【００３０】
すなわち、物理チャンネルのチャンネル番号Ｍ（図３（ａ）では「１０」が選択されている）を、横棒状態で配置されているチャンネルバーＢと対応させてＯＳＤ表示している。また、物理チャンネルの切り替え操作に従って、チャンネル位置を示すカーソルＫをチャンネルバーＢ上の該当位置に移動させて表示するようになっている。チャンネルバーＢは、図３（ａ）中、左側が最小チャンネル（ＭＩＮＣＨ）、左側が最大チャンネル（ＭＡＸＣＨ）となっており、物理チャンネルを例えば最小チャンネルから最大チャンネルに向かって選択していくと、カーソルＫもこれに従ってチャンネルバーＢ上を左側から右側に所定間隔刻みで移動していくようになっている。さらに、物理チャンネルのチャンネル番号Ｍの横に、ハイフンで結んだ状態でサブチャンネルのチャンネル番号Ｓ（図３（ａ）では「２」が選択されている）を合わせて表示するようになっている。
【００３１】
すなわち、スキップアップ・ダウンキー４１ｉは、リモコン送信機４１でのキー配列が左右に配置されており、このスキップアップ・ダウンキー４１ｉで操作する物理チャンネルのチャンネル番号Ｍを、横棒のチャンネルバーＢと対応させてＯＳＤ表示し、かつ、チャンネル位置を示すカーソルＫをチャンネルバーＢ上の該当位置に移動させて表示することで、リモコン送信機４１のキー配置とチャンネル選択画面とのイメージが統一されるため、ユーザにとって操作し易いチャンネル選択画面となっている。
【００３２】
次に、図３に示す物理チャンネル選択画面及び図４に示すチャンネル選択処理のフローチャートを参照して、本実施形態によるデジタル放送のチャンネル選択操作処理を説明する。
【００３３】
まず、図３（ａ）に示すチャンネル選択画面から、ユーザがリモコン送信機４１のスキップダウン４１ｉＤを１回押すと（ステップＳ１でＹｅｓ、ステップＳ２でＹｅｓと判断されると）、チャンネル選択画面は図３（ｂ）に示すように、物理チャンネルのチャンネル番号Ｍが「１０」から「８」に切り替わる（ステップＳ３）。また、これに合わせて、カーソルＫもチャンネルバーＢ上を若干左側に移動する。ただし、物理チャンネルは、１０チャンネルの隣接チャンネルが８チャンネルであるとする。
【００３４】
この場合、本実施形態では、サブチャンネルＳは自動的に「０」に切り替わる構成としているが、この場合でもサブチャンネルＳは「２」のまま切り替わらない構成としてもよい。すなわち、サブチャンネルＳの切り替えはあくまで早送り・巻き戻しキー４１ｈで行うようにしてもよい。
【００３５】
一方、スキップアップキー４１ｉＵを１回押すと（ステップＳ１でＹｅｓ、ステップＳ２でＮｏと判断されると）、チャンネル選択画面は図３（ｃ）に示すように、物理チャンネルのチャンネル番号Ｍが「１０」から「３５」に切り替わる（ステップＳ４）。これに合わせて、カーソルＫもチャンネルバーＢ上を左側に移動する。ただし、物理チャンネルは、１０チャンネルの隣接チャンネルが３５チャンネルであるとする。
【００３６】
この場合、本実施形態では、サブチャンネルＳは自動的に「０」に切り替わる構成としているが、この場合でもサブチャンネルＳは「２」のまま切り替わらない構成としてもよい。
【００３７】
次に、図３（ａ）に示すチャンネル選択画面から、ユーザがリモコン送信機４１の巻き戻し（ＲＥＷ）キー４１ｈＲを１回押すと（ステップＳ１でＮｏ、ステップＳ５でＹｅｓ、ステップＳ６でＹｅｓと判断されると）、チャンネル選択画面は図３（ｄ）に示すように、物理チャンネルのチャンネル番号Ｍはそのまま（つまり、「１０」のまま）で、サブチャンネルのチャンネル番号Ｓが「２」から「１」に切り替わる（ステップＳ７）。
【００３８】
一方、早送り（ＦＦ）キー４１ｈＦを１回押すと（ステップＳ１でＮｏ、ステップＳ５でＹｅｓ、ステップＳ６でＮｏと判断されると）、チャンネル選択画面は図３（ｅ）に示すように、物理チャンネルのチャンネル番号Ｍはそのまま（つまり、「１０」のまま）で、サブチャンネルのチャンネル番号Ｓが「２」から「３」に切り替わる（ステップＳ８）。
【００３９】
この場合、物理チャンネルのチャンネル番号「１０」にサブチャンネルのチャンネル番号Ｓが「２」までしか含まれていなかった場合には、ＴＶ側マイコン２１は、１つ上の物理チャンネルへの切り替えを行う。すなわち、図３（ｃ）に示すチャンネル選択画面を表示することになる。ただし、早送り（ＦＦ）キー４１ｈＦを１回押したとき、該当するサブチャンネルがなかった場合には、再び同じ物理チャンネルの中のサブチャンネル番号「０」に戻るように構成してもよい。
【００４０】
また、サブチャンネル番号が「０」のときに巻き戻し（ＲＥＷ）キー４１ｈＲを１回押したとき、１つ下の物理チャンネルへの切り替えを行うように構成してもよいが、この場合も同様に、再び同じ物理チャンネルの中のサブチャンネル番号「２」に戻るように構成してもよい。
【００４１】
このように、本発明では、スキップアップ・ダウンキー４１ｉによって物理チャンネルを直接切り替え、早送り・巻き戻しキー４１ｈによってサブチャンネルを直接切り替える構成としている。
【００４２】
なお、このようにして選択したチャンネルを視聴する場合には、そのチャンネル選択画面の状態でリモコン送信機４１の決定キー４１ｋを押せばよい。
【図面の簡単な説明】
【００４３】
【図１】本発明のディスク装置内蔵型テレビジョン受像機の要部の電気的構成を示す機能ブロック図である。
【図２】リモコン送信機のキー配置構造の要部の一例を示す説明図である。
【図３】本発明のディスク装置内蔵型テレビジョン受像機によるチャンネル選択画面の物理チャンネルとサブチャンネルの遷移状態を示す説明図である。
【図４】本発明のディスク装置内蔵型テレビジョン受像機によるチャンネル選択処理を示すフローチャートである。
【符号の説明】
【００４４】
１０  ディスク制御系
１１  ディスク側マイコン
１２  ディスク信号処理部
１２ａ  ＯＳＤ回路
１３  ディスク
１４  ディスク側メモリ部
２０  ＴＶ制御系
２１  ＴＶ側マイコン
２２  チューナ回路
２４  ＴＶ信号処理部
２４ａ  ＯＳＤ回路
２５  切換回路
２６  表示部
２７  増幅器
２８  スピーカ
２９  ＴＶ側メモリ部
３０  受信部
３５  バス通信
４１  リモコン送信機
４１ａ  電源キー
４１ｂ  機能キー
４１ｃ  テンキー
４１ｄ  チャンネルアップ・ダウンキー
４１ｅ  音量アップダウンキー
４１ｆ  再生キー
４１ｇ  停止キー
４１ｈ  スキップアップ・ダウンキー
４１ｉ  早送り・巻き戻しキー
４１ｊ  上下左右キー
４１ｋ  決定キー
Ｍ  物理チャンネルのチャンネル番号
Ｓ  サブチャンネルのチャンネル番号
Ｂ  チャンネルバー
Ｋ  カーソル
【図１】
2007180747.tif 000003
【図２】
2007180747.tif 000004
【図３】
2007180747.tif 000005
【図４】
2007180747.tif 000006